(57)【要約】【課題】感光体ドラムや中間転写体等の像担持体に付着した記録媒体を容易に除去することのできる画像形成装置等を提供する。【解決手段】画像形成装置は、中間転写ベルト２０を含むベルトユニット５０と、中間転写ベルト２０の下側の機構が移動可能に一体化された可動ユニット６０とを備えている。可動ユニット６０は、剥離シート７１を有する記録用紙剥離機構７０を備えており、その剥離シート７１が、可動ユニット６０が格納位置では中間転写ベルト２０から離間し、可動ユニット６０の移動によって中間転写ベルト２０に当接して移動して付着した記録用紙ＰＪを剥離させるように作用するように構成されている。【選択図】図３
2007199115.tif 000002
【特許請求の範囲】
【請求項１】
トナー像を担持する像担持体と、
前記像担持体が担持する前記トナー像を記録媒体に転写する転写部と、
前記像担持体の表面に沿って所定の格納位置から移動可能な移動操作部材と、
前記移動操作部材に設けられ、当該移動操作部材の前記格納位置からの移動によって前記像担持体に当接して移動して当該像担持体に付着した前記記録媒体を剥離する剥離部材と、
を備えることを特徴とする画像形成装置。
【請求項２】
前記剥離部材は、前記像担持体と当接する先端部が円弧状に形成されていることを特徴とする請求項１に記載の画像形成装置。
【請求項３】
前記剥離部材は、前記像担持体の表面に対する法線を挟んで略左右対称な略二等辺三角形に形成されていることを特徴とする請求項１に記載の画像形成装置。
【請求項４】
前記剥離部材を前記像担持体に当接させる当接付勢手段と、
前記移動操作部材が前記格納位置では前記剥離部材を前記像担持体から離間させる退避機構と、
を備えることを特徴とする請求項１に記載の画像形成装置。
【請求項５】
前記剥離部材は弾性変形可能であって、前記当接付勢手段は当該剥離部材の弾性力を利用することを特徴とする請求項４に記載の画像形成装置。
【請求項６】
前記退避機構は、前記剥離部材に当接して当該剥離部材を前記像担持体から離間させる操作干渉部を備えることを特徴とする請求項４に記載の画像形成装置。
【請求項７】
感光体と、
前記感光体上に形成されたトナー像が転写される中間転写部材と、
前記中間転写部材が担持する前記トナー像を記録媒体に転写する転写部と、
前記中間転写部材の表面に沿って所定の格納位置から移動可能な移動操作部材と、
前記移動操作部材に設けられて弾性復帰力で前記中間転写部材に当接する当接部材と、
前記移動操作部材が前記格納位置で前記当接部材を前記中間転写部材から離間させる退避機構と、
を備え、
前記退避機構によって離間位置にある前記当接部材が、前記移動操作部材の前記格納位置からの移動によって、前記中間転写部材の表面に当接して摺動し、前記中間転写部材に付着した前記記録媒体を剥離するように構成されていることを特徴とする画像形成装置。
【請求項８】
前記中間転写部材は、周回駆動される無端ベルト状であって、
前記移動操作部材は、前記中間転写部材の外側に位置する記録用紙搬送機構を含む可動ユニットであることを特徴とする請求項７に記載の画像形成装置。
【請求項９】
前記退避機構は、前記当接部材に当接して当該当接部材を前記中間転写部材から離間するように弾性変形させる操作干渉部材を備えることを特徴とする請求項８に記載の画像形成装置。
【請求項１０】
前記当接部材は、前記中間転写部材と当接する先端部が円弧状に形成されていることを特徴とする請求項９に記載の画像形成装置。
【請求項１１】
前記当接部材は、前記像担持体の表面に対してその法線を挟んで略左右対称な略二等辺三角形に形成されていることを特徴とする請求項１０に記載の画像形成装置。
【請求項１２】
前記当接部材は、樹脂シートであることを特徴とする請求項１１に記載の画像形成装置。
【請求項１３】
前記当接部材は、金属シートであることを特徴とする請求項１１に記載の画像形成装置。
【請求項１４】
前記当接部材は、線材を屈曲して形成されていることを特徴とする請求項１１に記載の画像形成装置。
【請求項１５】
ベルト部材に付着したシート状部材を剥離する剥離機構であって、
前記ベルト部材の表面に沿って所定の格納位置から移動可能な移動操作部材と、
前記移動操作部材に設けられ、前記ベルト部材に付着したシート状部材を剥離する剥離部材と、
前記剥離部材を前記ベルト部材に当接させる当接付勢手段と、
前記移動操作部材が格納位置では前記剥離部材を前記ベルト部材から離間させる退避機構と、
を備え、
前記退避機構によって離間位置にある前記剥離部材が、前記移動操作部材の前記格納位置からの移動により、前記当接付勢手段によって前記ベルト部材の表面に当接して摺動し、当該ベルト部材に付着したシート状部材を剥離することを特徴とするシート状部材の剥離機構。
【請求項１６】
前記剥離部材は弾性変形可能であって、前記当接付勢手段は当該剥離部材の弾性力を利用することを特徴とする請求項１５に記載のシート状部材の剥離機構。
【請求項１７】
前記剥離部材は、前記ベルト部材と当接する先端部が円弧状に形成されていることを特徴とする請求項１６に記載のシート状部材の剥離機構。
【請求項１８】
前記剥離部材は、前記ベルト部材の表面に対してその法線を挟んで略左右対称な略二等辺三角形に形成されていることを特徴とする請求項１７に記載のシート状部材の剥離機構。
【請求項１９】
前記剥離部材は、樹脂シートであることを特徴とする請求項１８に記載のシート状部材の剥離機構。
【請求項２０】
前記剥離部材は、金属シートであることを特徴とする請求項１８に記載のシート状部材の剥離機構。
【請求項２１】
前記剥離部材は、線材を屈曲して形成されていることを特徴とする請求項１８に記載のシート状部材の剥離機構。
【発明の詳細な説明】
【技術分野】
【０００１】
本発明は、複写機、プリンタ、ファクシミリ、これらの複合機等の電子写真方式を用いて記録媒体に画像を形成する画像形成装置等に関する。
【背景技術】
【０００２】
電子写真方式を利用する複写機やプリンタ等の画像形成装置は、感光体上に形成された静電潜像を、現像装置によって現像剤（トナー）で現像してトナー像とし、この感光体上に形成されたトナー像を、記録用紙等の記録媒体上に転写・定着するように構成されている。
感光体は、ドラム状のものや、無端ベルト状のもの等が知られている。また、感光体上に形成されたトナー像を、一旦、中間転写体（中間転写ベルト）に担持させ、この中間転写体から記録媒体に転写する構成もある。
【０００３】
中間転写ベルトを用いる構成としては、たとえば、黒(Ｋ)、イエロー(Ｙ)、マゼンタ(Ｍ)、シアン(Ｃ)の色ごとに設けられた画像形成部が、中間転写ベルトに対向して並べて配置されてなるいわゆるタンデム型のカラー画像形成装置が知られている。
このようなタンデム型のカラー画像形成装置では、各々の画像形成部で形成される色の異なる画像を、走行する中間転写ベルトに順次転写（一次転写）して多重化し、カラー画像（トナー像）を形成する。そして、そのカラー像を中間転写ベルトと同期して搬送される記録用紙に二次転写部で転写し、さらに、定着装置で記録用紙にトナー像を定着することで、画像を形成する。
【０００４】
感光体や中間転写ベルト等の感光体が担持したトナー像の記録媒体への転写は、転写ロールで記録媒体を感光体に圧接すると共に、転写バイアスを作用させることで行われる。
転写後の記録媒体は、感光体から剥離されて定着装置に搬送されるが、その際、記録媒体が静電力によって感光体に付着してしまい、紙詰まり（いわゆるジャム）等の不具合を生ずることがある。特に、薄い記録用紙や、吸湿等によってカールした記録用紙、さらには両面コピーの際に定着装置によって加熱された記録用紙等は、紙詰まりを生じ易い。
特許文献１には、ポップジャムを生じた記録シートを装置外に取り出して紙詰まりを除去する構造が開示されている。
【０００５】
【特許文献１】特開平９−８０８３５号公報
【発明の開示】
【発明が解決しようとする課題】
【０００６】
ところで、画像形成装置は、通常、紙詰まり等、記録媒体（記録用紙）の搬送に不具合が生じた場合には、それを検知して画像形成を停止するように構成される。そして、使用者等が不具合の原因（詰まった記録用紙等）を取り除くことで、画像形成を再開可能となる。
ここで、中間転写ベルトを備え、特にその周回経路の下側に二次転写が配置された画像形成装置において、二次転写後に記録用紙が中間転写体に密着して剥離されないことによって装置が停止した場合、メンテナンスを行う装置のフロント側からは中間転写ベルトの下面側に密着した記録用紙を視認し難く、その排除が難しいという問題があった。
すなわち、画像形成装置の制御部による搬送異常の認知は、たとえば、記録用紙の搬送経路に備えられたセンサによって、定着装置に至る記録用紙を検知することで行われる。そして、正常に搬送された場合に検知されるべき記録用紙が検知されなかった時、搬送異常と判断して装置を停止させる。しかし、この段階では、記録用紙が中間転写ベルトにぴったりと付着していて紙詰まりとして視認し得ない状態にあることがある。このような場合には、装置をフロント側から開放して見ても中間転写ベルトに密着した記録用紙を見つけることが難しく、搬送異常状態を解消することができない。
【０００７】
本発明は、かかる技術的課題を解決するためになされたものであって、感光体ドラムや中間転写体等の像担持体に付着した記録媒体を容易に除去することのできる画像形成装置等を提供することを目的とする。
【課題を解決するための手段】
【０００８】
かかる目的を達成するために、本発明の画像形成装置は、トナー像を担持する像担持体と、像担持体が担持するトナー像を記録媒体に転写する転写部と、像担持体の表面に沿って所定の格納位置から移動可能な移動操作部材と、移動操作部材に設けられ移動操作部材の格納位置からの移動によって像担持体に当接して移動して像担持体に付着した記録媒体を剥離する剥離部材と、を備えることを特徴とする。
【０００９】
ここで、剥離部材は、像担持体と当接する先端部が円弧状に形成されていることを特徴とすることができる。また、剥離部材は、像担持体の表面に対する法線を挟んで略左右対称な略二等辺三角形に形成されていることを特徴とすることができる。
さらに、上記構成に加え、剥離部材を像担持体に当接させる当接付勢手段と、移動操作部材が格納位置では剥離部材を像担持体から離間させる退避機構と、を備えることを特徴とする。
その剥離部材は弾性変形可能であって、当接付勢手段は剥離部材の弾性力を利用することを特徴とすることができる。退避機構は、剥離部材に当接して剥離部材を像担持体から離間させる操作干渉部を備えることを特徴とすることができる。
【００１０】
本発明の他の画像形成装置は、感光体と、感光体上に形成されたトナー像が転写される中間転写部材と、中間転写部材が担持するトナー像を記録媒体に転写する転写部と、中間転写部材の表面に沿って所定の格納位置から移動可能な移動操作部材と、移動操作部材に設けられて弾性復帰力で中間転写部材に当接する当接部材と、移動操作部材が格納位置で当接部材を中間転写部材から離間させる退避機構と、を備え、退避機構によって離間位置にある当接部材が、移動操作部材の格納位置からの移動によって、中間転写部材の表面に当接して摺動し、中間転写部材に付着した記録媒体を剥離するように構成されていることを特徴とする。
【００１１】
ここで、中間転写部材は、周回駆動される無端ベルト状であって、移動操作部材は、中間転写部材の外側に位置する記録用紙搬送機構を含む可動ユニットであることを特徴とすることができる。
その退避機構は、当接部材に当接して当接部材を中間転写部材から離間するように弾性変形させる操作干渉部材を備えることを特徴とすることができる。
また、当接部材は、中間転写部材と当接する先端部が円弧状に形成されていることを特徴とすることができる。さらに、当接部材は、像担持体の表面に対してその法線を挟んで略左右対称な略二等辺三角形に形成されていることを特徴とすることができる。
当接部材としては、樹脂シートおよび金属シートであることを特徴とすることができ、また、線材を屈曲して形成されていることを特徴とすることができる。
【００１２】
本発明のシート状部材の剥離機構は、ベルト部材に付着したシート状部材を剥離する剥離機構であって、ベルト部材の表面に沿って所定の格納位置から移動可能な移動操作部材と、移動操作部材に設けられ、ベルト部材に付着したシート状部材を剥離する剥離部材と、剥離部材をベルト部材に当接させる当接付勢手段と、移動操作部材が格納位置では剥離部材をベルト部材から離間させる退避機構と、を備え、退避機構によって離間位置にある剥離部材が、移動操作部材の格納位置からの移動により、当接付勢手段によってベルト部材の表面に当接して摺動し、ベルト部材に付着したシート状部材を剥離することを特徴とする。
【００１３】
ここで、剥離部材は弾性変形可能であって、当接付勢手段は剥離部材の弾性力を利用することを特徴とすることができる。また、剥離部材は、ベルト部材と当接する先端部が円弧状に形成されていることを特徴とすることができる。さらに、剥離部材は、ベルト部材の表面に対してその法線を挟んで略左右対称な略二等辺三角形に形成されていることを特徴とすることができる。
剥離部材としては、樹脂シートおよび金属シートであることを特徴とすることができ、また、線材を屈曲して形成されていることを特徴とすることができる。
【発明の効果】
【００１４】
以上のように構成された本発明の画像形成装置等によれば、感光体ドラムや中間転写体等の像担持体に付着した記録媒体を容易に除去することができる。
【発明を実施するための最良の形態】
【００１５】
以下、添付図面を参照して、本発明を実施するための最良の形態(以下、実施の形態)について詳細に説明する。
図１は本発明の実施の形態を適用した画像形成装置１の概略構成図である。
図１に示す画像形成装置１は、電子写真方式による複数の画像形成部１０（１０Ｙ，１０Ｍ，１０Ｃ，１０Ｋ）によってカラー画像を形成する、いわゆるタンデム型のデジタルカラー機である。
【００１６】
この画像形成装置１は、各色の画像を形成する画像形成部１０と、各画像形成部１０（１０Ｙ,１０Ｍ,１０Ｃ,１０Ｋ）の感光体ドラム１１を露光して静電潜像を形成する露光装置１２と、感光体ドラム１１に担持されたトナー像を重畳して担持する像担持体であり中間転写部材としての中間転写ベルト２０とを備えている。また、画像形成装置１は、各画像形成部１０により形成された各色成分のトナー像を中間転写ベルト２０に順次転写する一次転写部１５と、中間転写ベルト２０上に転写された重畳トナー画像を記録媒体としての記録用紙Ｐに一括転写する転写部としての二次転写部２１とを備えている。さらに、画像形成装置１は、転写されたトナー像を記録用紙Ｐ上に定着させる定着装置３０と、記録用紙搬送機構４０とを備えている。また、画像形成装置１は、制御部８０を備えており、この制御部８０によってその全ての駆動制御が行われるようになっている。
【００１７】
各画像形成部１０は、図１中の画像形成部１０Ｙに代表して示すように、矢印Ａ方向に回転する感光体ドラム１１を備えている。感光体ドラム１１の周囲には、感光体ドラム１１を帯電する帯電器１２と、感光体ドラム１１上を光ビームＢｍで照射して静電潜像を書込む走査露光装置１３と、各色成分トナーを収容して感光体ドラム１１上の静電潜像をトナーにより可視像化する現像器１４とが、配設されている。さらに、感光体ドラム１１上に形成されたトナー像を中間転写ベルト２０に転写する一次転写部１５を構成する一次転写ロール１５Ａと、感光体ドラム１１上の残留トナーを除去するドラムクリーナ１６とが配設されている。これらの画像形成部１０は、中間転写ベルト２０の移動方向上流側から、イエロー（Ｙ）、マゼンタ（Ｍ）、シアン（Ｃ）、黒（Ｋ）の順に、略直線状に配置されている。
【００１８】
中間転写ベルト２０は、例えば、可撓性を有するポリイミド等の合成樹脂フィルムによって無端ベルト状に形成されている。この中間転写ベルト２０は、駆動ロール２０Ａとバックアップロール２０Ｂ等とに、その上側の経路を略直線状として張架される。そして、図示しないモータ等によって駆動される駆動ロール２０Ａの回転によって、図１に示すＢ方向に所定の速度で循環駆動（回動）されるようになっている。
この中間転写ベルト２０の略直線的な上側の経路に臨んで、前述のごとく４色用の画像形成部１０Ｙ，１０Ｍ，１０Ｃ，１０Ｋが配設されている。
【００１９】
各画像形成部１０の感光体ドラム１１と、中間転写ベルト２０を挟んで対向する位置には、それぞれ前述の一次転写部１５を構成する一次転写ロール１５Ａが配設されている。一次転写ロール１５Ａは感光体ドラム１１に中間転写ベルト２０を圧接させるようになっている。この一次転写ロール１５Ａには、トナーの帯電極性と逆極性の電圧（一次転写バイアス）が印加される。これにより、各一次転写部１５では、各々の感光体ドラム１１上のトナー像を中間転写ベルト２０に順次静電吸引し、中間転写ベルト２０上にトナー像を重畳形成する。
【００２０】
二次転写部２１は、中間転写ベルト２０のトナー像担持面側に配置される二次転写ロール２１Ａと、この二次転写ロール２１Ａと中間転写ベルト２０を挟んで対向配置されたバックアップロール２１Ｂと、によって構成されている。
バックアップロール２１Ｂには二次転写バイアスが印可され、二次転写ロール２１Ａは接地されている。そして、中間転写ベルト２０が担持したトナー像を、記録用紙搬送機構４０によって搬送供給される記録用紙Ｐ上に転写する。
また、中間転写ベルト２０の、二次転写部２１よりその移動方向下流側には、二次転写後も中間転写ベルト２０上に残留する残留トナーや紙粉を除去し、中間転写ベルト２０の表面をクリーニングするベルトクリーナ２２が設けられている。
【００２１】
定着装置３０は、ヒートロール３１と、このヒートロール３１に対向して設けられたプレッシャロール３２とで構成されている。そして、記録用紙Ｐをプレッシャロール３２で加熱されたヒートロール３１に押圧し、トナー像を加熱・加圧して記録用紙Ｐに定着する。
記録用紙搬送機構４０は、搬送ロール群４１と、記録用紙Ｐをその上面に吸引して搬送する搬送ベルトユニット４２と、を備えている。搬送ロール群４１は記録用紙Ｐを収容する記録用紙トレイ５１から記録用紙Ｐを二次転写部２１へと搬送し、搬送ベルトユニット４２は記録用紙Ｐを二次転写部２１から定着装置３０に搬送する。
また、二次転写部２１と搬送ベルトユニット４２の間の記録用紙搬送経路に臨んで、記録用紙検知センサ８１が設けられており、この記録用紙検知センサ８１が記録用紙Ｐを検知した信号を制御情報として制御部８０に出力するようになっている。
【００２２】
上記のごとく構成された画像形成装置１は、制御部８０によって制御され、下記のようにして画像形成を行う。
すなわち、図示しない画像読取装置や図示しないパーソナルコンピュータ等から出力される画像データに基づいて、各画像形成部１０が、それぞれ感光体ドラム１１上にそれぞれの色のトナー像を形成する。各画像形成部１０におけるトナー像の形成は、帯電器１２によって帯電された感光体ドラム１１上を走査露光装置１３で走査露光して静電潜像を形成し、その静電潜像を現像器１４によって現像してトナー像を形成することによって行われる。
【００２３】
各画像形成部１０の感光体ドラム１１上に形成されたトナー像は、一次転写部１５において、中間転写ベルト２０上に重ね合わせて転写される。
中間転写ベルト２０の表面に重ね合わせて形成されたトナー像は、中間転写ベルト２０の回動によって二次転写部２１に移動し、この二次転写部２１において記録用紙搬送機構４０の搬送ロール群４１によって搬送される記録用紙Ｐ上に一括して静電転写される。
トナー像が転写された記録用紙Ｐは、記録用紙搬送機構４０の搬送ベルトユニット４２によって定着装置３０に搬送され、定着装置３０によって熱および圧力による定着処理を受けてトナー像が定着される。そして、トナー像が定着された（画像が形成された）記録用紙Ｐは、画像形成装置１の排出部に設けられた排紙載置部（不図示）に排出される。
【００２４】
制御部８０は、画像形成に際して、記録用紙検知センサ８１が記録用紙Ｐを検知した信号によって、記録用紙Ｐが中間転写ベルト２０から正常に剥離して定着装置３０に向かって搬送されていることを認知する。正常搬送の際に得られるべきタイミングで記録用紙搬送センサ８１からの検知信号が得られなかった場合には、全ての作動を停止させ、搬送異常として図示しない表示パネル等を介して使用者に知らせる。
搬送異常による作動の停止は、仮に中間転写ベルト２０に記録用紙Ｐが付着していた場合に、その記録用紙Ｐがベルトクリーナ２２に入る前のタイミングで行われる。これにより、停止した中間転写ベルト２０の、搬送ベルトユニット４２の上側の部位に記録用紙Ｐが付着していることになる。
【００２５】
ここで、画像形成装置１は、中間転写ベルト２０の下側の二次転写部２１から定着装置３０に至る記録用紙Ｐの搬送経路を開放して、紙詰まり等の搬送異常を解消することができるように構成されている。つぎに、その構成について説明する。
図２は中間転写ベルト２０を含むベルトユニット５０と、中間転写ベルト２０の下側の機構が移動可能に一体化された移動動作部材としての可動ユニット６０と、を概念的に示す図である。また、図３はベルトユニット５０と可動ユニット６０とを斜め後方から見た斜視図である。この図では、可動ユニット６０は格納位置（画像形成時における作用位置）にある。さらに、図４は可動ユニット６０の平面図である。
ベルトユニット５０は、中間転写ベルト２０とそれを張架する駆動ロール２０Ａおよびバックアップロール２０Ｂ等のローラ群が、一つのシャーシ５１（図３には奥側の側板５１Ｂのみ表し、他は省略してある）に装着されて構成されている。
【００２６】
可動ユニット６０は、二次転写部２１の二次転写ロール２１Ａと、記録用紙搬送機構４０の搬送ベルトユニット４２と、定着装置３０とが、一つのユニットシャーシ６１に装着されて一体に構成されている。
ユニットシャーシ６１は、前後の側板６１Ａ，６１Ｂが、連結板６１Ｃによって所定の間隔で連結されて形成されており、その側板６１Ａ，６１Ｂの間に、二次転写ロール２１Ａと、搬送ベルトユニット４２と、定着装置３０（図３および図４では二点鎖線で示す）とが配設されるようになっている。
【００２７】
この可動ユニット６０は、通常は、搬送ベルトユニット４２が搬送する記録用紙Ｐに二次転写ロール２１Ａが転写作用を行う格納位置にある。そして、この格納位置から図示しないガイド機構に案内されて、図示しない本体シャーシに対して装置手前側（図３中矢印で示す）に移動可能となっている。従って、この可動ユニット６０を移動させる（装置手前側に引き出す）ことで、中間転写ベルト２０と、二次転写ロール２１Ａおよび搬送ベルトユニット４２との間の記録用紙搬送経路が開放される。このため、この部分で紙詰まり等が発生した場合には、可動ユニット６０を引き出して搬送経路に詰まった記録用紙Ｐを排除することができる。なお、二次転写ロール２１Ａは、可動ユニット６０の引き出し動作に伴って、図示しない連動機構によって下方に退避動作するようになっているものである。
【００２８】
ここで、可動ユニット６０には、その格納位置からの引き出し操作によって中間転写ベルト２０に付着した記録用紙ＰＪを剥離させる記録用紙剥離機構７０が設けられている。つぎに、この記録用紙剥離機構７０について説明する。
図５はベルトユニット５０と可動ユニット６０のそれぞれ奥側の側板５１Ｂ，６１Ｂと記録用紙剥離機構７０を示す説明図である。また、図６はその記録用紙剥離機構７０部分の拡大図であり、図７は図６のＡ矢視図である。さらに、図８は剥離シート７１の平面図、図９は記録用紙剥離機構７０の作用説明図である。
【００２９】
記録用紙剥離機構７０は、剥離部材および当接部材としての剥離シート７１を備えている。
剥離シート７１は、所定の弾性を有する薄いシート状の部材、たとえば０．１〜０．２ｍｍ程度の厚さのＰＥＴ等の樹脂シートによって、図８に平面図を示すごとき舌片状に形成されている。すなわち、所定幅の装着基端部７１Ａから、所定の角度で先細りの屈曲先端部７１Ｂが所定の長さに延設され、最先端は所定の半径の円弧状部となっている。その屈曲先端部７１Ｂの先細り形状は、後述する可動ユニット６０のシャーシ側板６１Ｂに支持されて所定位置に設置された状態において、対応する中間転写ベルト２０の経路に対する法線（図８中一点鎖線で示す）を略中心とする左右対称の二等辺三角形状となっている。
そして、この剥離シート７１は、可動ユニット６０の装置奥側のシャーシ側板６１Ｂに設けられた支持板６１Ｃの装置手前側の面に、装着基端部７１Ａが両面テープによって接着されて、二次転写部２１の記録用紙搬送方向下流側に隣接して設けられている。
【００３０】
剥離シート７１を支持する支持板６１Ｃは、シャーシ側板６１Ｂの上側に所定幅で突出形成されている。その上縁は、対応する中間転写ベルト２０の経路と略平行に形成されている。なお、本実施の形態では、支持板６１Ｃは、装置本体側に設けられた図示しないファンがバキューム方式の搬送ベルトユニット４２から吸気するためのダクト６１Ｄの枠を兼ねた（一体化した）構成となっている。しかし、剥離シート７１の支持構造はこのような支持板６１Ｃによる構成に限るものではなく、そのための専用の支持板を立設しても良く、また、支持板６１Ｃを介することなく直接シャーシ側板６１Ｂに装着する等、適宜変更可能なものである。
【００３１】
このように可動ユニット６０に設けられた剥離シート７１は、可動ユニット６０が収納位置（画像形成時における作用位置）では、ベルトユニット５０の奥側の側板５１Ｂと干渉して屈曲変形し、また、可動ユニット６０を収納位置から引き出す際にはベルトユニット５０の中間転写ベルト２０と干渉して屈曲変形するようにその長さと設置位置が設定されている。
ここで、記録用紙剥離機構７０の配設位置における、ベルトユニット５０の奥側の側板５１Ｂの下縁５１Ｂａは、図５および図６に示すように、中間転写ベルト２０の経路より下側に、その経路と略平行に形成されている。
【００３２】
そして、剥離シート７１は、可動ユニット６０が収納位置では、図７および図９に示すように、側板５１Ｂの下縁５１Ｂａに当接して図中左側に屈曲変形する。なお、前述の図４ではこの状態の剥離シート７１が示してある。この状態で、剥離シート７１の先端は、中間転写ベルト２０の下側に位置するが、中間転写ベルト２０の下面（トナー像担持面）とは所定の間隔を有して接触しないように設定されている。これにより、可動ユニット６０が格納位置にあると、剥離シート７１はベルトユニット５０の側板５１Ｂの下縁５１Ｂａに操作されて屈曲変形し、中間転写ベルト２０の表面から離間した状態となるようになっているものである。この剥離シート７１の先端が中間転写ベルト２０の表面から離間した状態が、退避状態である。この構成では、ベルトユニット５０の側板５１Ｂの下縁５１Ｂａが退避機構および操作干渉部材を構成している。
【００３３】
そして、可動ユニット６０を、収納位置から、剥離シート７１と、側板５１Ｂ（下縁５１Ｂａ）との干渉が解消されるまで引き出す（図７および図９中左側に移動させる）と、図中二点鎖線で示すように、剥離シート７１は、弾性復帰してその先端が中間転写ベルト２０に所定の浅い角度で当接し、自らの弾性復帰力で中間転写ベルト２０に圧接するようになっている。なお、この剥離シート７１が中間転写ベルト２０に当接する位置は、中間転写ベルト２０がトナー像を担持する領域（つまり画像形成域）より外側に設定されているものである。
【００３４】
上記のごとく構成された記録用紙剥離機構７０は、搬送異常で画像形成装置１（図１参照）の作動が停止した際に、その搬送異常の原因を究明して排除すべく可動ユニット６０を格納位置から装置手前側に引き出すことで、中間転写ベルト２０に付着している記録用紙ＰＪを自動的に排除することができる。
すなわち、可動ユニット６０を格納位置から装置手前側に引き出すことにより、図９（ａ）に示すように側板５１Ｂ（下縁５１Ｂａ）との干渉によって中間転写ベルト２０と離間していた剥離シート７１の先端が、図９（ａ）中二点鎖線で示すように中間転写ベルト２０に当接する。そして、以後の可動ユニット６０の引き出し操作に伴って、剥離シート７１の先端は中間転写ベルト２０に当接して摺動移動する。これにより、図９（ｂ）に示すように、中間転写ベルト２０に付着している記録用紙ＰＪがあれば、図９（ｂ）に示すように、その記録用紙ＰＪを剥離シート７１がその先端で剥離して、外部に押し出すように作用する。
【００３５】
従って、記録用紙ＰＪが中間転写ベルト２０に付着することで搬送異常と認知された場合には、可動ユニット６０を収納位置から引き出すという操作のみで、中間転写ベルト２０に付着した記録用紙ＰＪを除去して搬送異常状態を解除することができるものである。
つまり、上記のごとき構成の記録用紙剥離機構７０によれば、視認が難しい中間転写ベルト２０に付着した記録用紙ＰＪを、可動ユニット６０を引き出し操作することで視認するまでもなく除去することができるものである。
【００３６】
なお、上記実施の形態は、剥離部材として樹脂シートによって形成された剥離シート７１を用いた例であるが、剥離部材はこれに限定されるものではない。たとえば、ステンレス合金やリン青銅等の金属薄板を用いても良く、また、素材、厚さ、大きさ等の異なる樹脂シートを複数枚重合させてその弾性力を調整して形成しても良い。
さらに、シート状でない剥離部材として、ピアノ線等の弾性を有する線材を屈曲して用いても良いものである。
図１０は、線材を屈曲して形成した剥離部材７２を示す図である。この剥離部材７２は、適宜太さのピアノ線を略逆Ｕ字状に屈曲して、その両基端部に装着フック部７２Ａを形成したものである。
また、上記実施の形態の記録用紙剥離機構７０は、一つの剥離部材（剥離シート７１）を備えたものであるが、複数の剥離部材を中間転写ベルト２０の移動方向に並列に配設しても良い。そうすれば、より広い範囲で記録用紙ＰＪを除去することが可能となる。その際、並設された剥離部材を異なる構成のものとしても良いものである。
【００３７】
さらに、上記実施の形態では、記録用紙剥離機構７０は、剥離シート７１のそれ自体の弾性変形によって退避状態となると共に、その弾性復帰力で中間転写ベルト２０に当接付勢する構成となっているが、それぞれの機能を別の機構で分担する構成としても良い。図１１はそのような構成例の概念図である。なお、図中前述の実施の形態と同様の構成部には同符号を付して説明を省略する。
図１１に示す記録用紙剥離機構７００は、支持板６１Ｃに、剥離シート７１を支持する揺動板７３Ａが枢軸７３Ｃで揺動可能に装着されている。揺動板７３Ａは、枢軸７３Ｃに巻回装着された渦巻きバネ７３Ｄによって、図中時計回りに揺動付勢されている。その揺動板７３Ａの揺動は、図示しない可動ユニットが収納位置では当接する側板５１Ｂによって規制され、これによって剥離シート７１の先端が中間転写ベルト２０の表面から離間する（退避状態となる）ように設定されている。そして、図示しない可動ユニットが収納位置から引き出し操作されると、側板５１Ｂによる規制が解除されて揺動板７２Ａが渦巻きバネ７３Ｄの付勢力で揺動し、剥離シート７１の先端が中間転写ベルト２０の表面に当接し、剥離シート７１の弾性変形による復帰力と、渦巻きバネ７３Ｄの揺動付勢力とによって先端が中間転写ベルト２０に圧接するようになっているものである。
【００３８】
このような構成の記録用紙剥離機構７００では、渦巻きバネ７３Ｄが退避機構と当接付勢手段とを兼ねるため、弾性変形量の少ない高剛性の剥離シート７１を用いることも可能となる。また、剥離シート７１として樹脂シートを用いた場合には、退避状態では剥離シート７１は屈曲変形しないため、近傍に位置する定着装置の熱によって剥離シート７１がへたる（弾性復帰力が低下する）ことを抑えることができ、作用時における中間転写ベルト２０への圧接力を維持できる。
【００３９】
なお、上記実施の形態は、本発明を感光体ドラム上に形成したトナー像を像担持体としての中間転写ベルトを介して記録媒体に転写する画像形成装置に適用したものであるが、本発明はこのような構成の画像形成装置に限らず、たとえば、感光体ドラムからの記録媒体にトナー像を転写する画像形成装置において、感光体ドラムに付着した記録媒体を剥離するために適用しても良いものである。
【図面の簡単な説明】
【００４０】
【図１】本発明の実施の形態を適用した画像形成装置の概略構成図である。
【図２】ベルトユニットと可動ユニットとを概念的に示す図である。
【図３】ベルトユニットと可動ユニットとを斜め後方から見た斜視図である。
【図４】可動ユニットの平面図である。
【図５】ベルトユニットと可動ユニットのそれぞれ奥側の側板と記録用紙剥離機構を示す説明図である。
【図６】記録用紙剥離機構の拡大図である。
【図７】図６のＡ矢視図である。
【図８】剥離シートの平面図である。
【図９】記録用紙剥離機構の作用説明図である。
【図１０】線材を屈曲して形成した剥離部材を示す図である。
【図１１】異なる構成の記録用紙剥離機構の説明図である。
【符号の説明】
【００４１】
１…画像形成装置、１１…感光体ドラム（感光体）、１５…一次転写部（転写部）、２０…中間転写ベルト（像担持体）、５０…ベルトユニット、５１Ｂ…側板（退避機構，操作干渉部材）、６０…可動ユニット（移動動作部材）、７０…記録用紙剥離機構、７１…剥離シート（剥離部材，当接部材，当接付勢手段）、７２…剥離部材（当接部材，当接付勢手段）、７３Ｄ…渦巻きバネ（退避機構，当接付勢手段）、Ｐ…記録用紙（記録媒体）、ＰＪ…記録用紙（中間転写ベルトに付着した記録用紙，記録媒体）
【図１】
2007199115.tif 000003
【図２】
2007199115.tif 000004
【図３】
2007199115.tif 000005
【図４】
2007199115.tif 000006
【図５】
2007199115.tif 000007
【図６】
2007199115.tif 000008
【図７】
2007199115.tif 000009
【図８】
2007199115.tif 000010
【図９】
2007199115.tif 000011
【図１０】
2007199115.tif 000012
【図１１】
2007199115.tif 000013